(57)【要約】  システムは、レーザーダイオードおよび瞬間スイッチを備えるＬＬＬＴデバイスと、このＬＬＬＴデバイスに対して取り付けられると共に、取り付けられている間、瞬間スイッチを押圧し、ＬＬＬＴデバイスによってレーザーダイオードを作動させるよう構成されたクリップデバイスとを含む。ＬＬＬＴデバイスは、レーザーダイオードと、このレーザーダイオードが作動させられたとき、そこから光が出る前端部と、この前端部におけるアイセーフティ機構とを含む。ＬＬＬＴデバイスは、前端部が押されたとき、レーザーダイオードを作動させるよう構成されている。
2013528404.tif 000002
【特許請求の範囲】
【請求項１】
システムであって、
レーザーダイオードおよび瞬間スイッチを含む低レベルレーザー治療(ＬＬＬＴ)デバイスであって、当該ＬＬＬＴデバイスは、前記瞬間スイッチが押された際に、前記レーザーダイオードを作動させるよう構成されている低レベルレーザー治療(ＬＬＬＴ)デバイスと、
前記ＬＬＬＴデバイスに対して取り付けられると共に、取り付けられている間、前記瞬間スイッチを押圧し、前記ＬＬＬＴデバイスによって前記レーザーダイオードを作動させるよう構成されたクリップデバイスと、
を具備することを特徴とするシステム。
【請求項２】
前記ＬＬＬＴデバイスはさらに、前記レーザーダイオードを収容するケースを具備し、前記ケースは  第１の側面および対向する第２の側面を有し、前記瞬間スイッチは前記第１の側面に配置されており、かつ、前記クリップデバイスは、取り付けられている間、前記瞬間スイッチおよび前記対向する第２の側面の両方と接触するよう構成されていることを特徴とする請求項１に記載のシステム。
【請求項３】
瞬間スイッチは、瞬間押しボタンスイッチからなることを特徴とする請求項１に記載のシステム。
【請求項４】
前記クリップデバイスは、対向する面およびこの対向する面を連結する底面を有する略Ｕ字形を備え、かつ、前記瞬間押しボタンスイッチはボタンを備え、前記クリップデバイスの前記対向する面の一方は、前記ボタンのリセスの形状に対応する形状を備えた突起を有し、この突起は、前記リセスに進入し、前記クリップがＬＬＬＴデバイスに対して取り付けられている間、前記瞬間スイッチを押圧するよう構成されていることを特徴とする請求項３に記載のシステム。
【請求項５】
前記突起は、一つ以上の斜め縁部を有するメサからなることを特徴とする請求項４に記載のシステム。
【請求項６】
前記ＬＬＬＴデバイスに対して取り付けられている間、前記クリップデバイスはユーザーに取り外しのための操作を要求することを特徴とする請求項１に記載のシステム。
【請求項７】
前記ＬＬＬＴデバイスは、前記クリップデバイスが取り付けられている間の前記レーザーダイオードの作動が、前記クリップデバイスが取り外されるまでの連続的な前記レーザーダイオードの作動を含むように構成されていることを特徴とする請求項１に記載のシステム。
【請求項８】
前記ＬＬＬＴデバイスはさらに非作動化タイマーを具備し、前記ＬＬＬＴデバイスは、前記クリップデバイスが取り付けられている間の前記レーザーダイオードの作動が、前記タイマーが前記レーザーダイオードを非作動化させるまでの連続的な前記レーザーダイオードの作動を含むように構成されていることを特徴とする請求項１に記載のシステム。
【請求項９】
前記瞬間スイッチのスイッチング機構は、前記瞬間スイッチが押された際に閉じるよう構成されていることを特徴とする請求項１に記載のシステム。
【請求項１０】
システムであって、ＬＬＬＴデバイスと、クリップデバイスと、を具備してなり、
前記ＬＬＬＴデバイスは、レーザーダイオードと、それ自身にリセスを備える瞬間押しボタンスイッチと、この瞬間押しボタンスイッチが押圧された際に前記レーザーダイオードを作動させるために前記瞬間押しボタンスイッチを連携的に統合する電子回路と、前記レーザーダイオードを収容するケースと、を含み、前記ケースは、第１の側面および対向する第２の側面を有し、前記瞬間押しボタンスイッチは前記第１の側面に配置されており、
前記クリップデバイスは、前記ＬＬＬＴデバイスに対して取り付けられると共に、取り付けられている間、前記瞬間スイッチおよび前記対向する第２の側面の両方と接触するよう構成されており、前記クリップデバイスは、第１の側面、対向する第２の側面および前記第１の側面と前記第２の側面とを連結する底面を有する略Ｕ字形を備え、前記クリップデバイスの前記第１の側面は、前記ボタンのリセスの形状に対応する形状を備えた突起を有し、この突起は、前記リセスに進入し、前記クリップが取り付けられている間、前記瞬間スイッチを押圧して、前記ＬＬＬＴデバイスが前記レーザーダイオードを作動させるようにし、前記クリップデバイスの前記第２の側面は、取り付けられている間、前記ケースの前記第２の側面と接触し、かつ、取り付けられている間、前記クリップデバイスはユーザーに取り外しのための操作を要求することを特徴とするシステム。
【請求項１１】
ＬＬＬＴデバイスであって、
レーザーダイオードと、
前記レーザーダイオードが作動させられたとき、そこから光が出る前端部と、
前記前端部におけるアイセーフティ機構と、を備え、前記ＬＬＬＴデバイスは、前記前端部が押されたとき、前記レーザーダイオードを作動させるよう構成されていることを特徴とするＬＬＬＴデバイス。
【請求項１２】
前記アイセーフティ機構は、前記ＬＬＬＴデバイスの前記前端部の最前方部分を具備し、前記ＬＬＬＴデバイスは、患者の身体の処置されるべき部分に対して前記最前方部分が押し付けられたときに、前記レーザーダイオードを作動させるよう構成されていることを特徴とする請求項１１に記載のシステム。
【請求項１３】
前記アイセーフティ機構は、前記ＬＬＬＴデバイス内へと延在する少なくとも一つのスプリング装填ガイドロッドと、前記前端部が押圧された際に前記ガイドロッドによって押圧されるように配置された、前記ＬＬＬＴデバイスが前記レーザーダイオードを作動させるようにする少なくとも一つの瞬間押しボタンスイッチと、を備えることを特徴とする請求項１１に記載のＬＬＬＴデバイス。
【請求項１４】
前記瞬間押しボタンスイッチは、瞬間押しボタンマイクロスイッチからなることを特徴とする請求項１３に記載のＬＬＬＴデバイス。
【請求項１５】
前記瞬間押しボタンスイッチのスイッチング機構は、前記瞬間押しボタンスイッチが押されたとき、閉じるよう構成されていることを特徴とする請求項１３に記載のＬＬＬＴデバイス。
【請求項１６】
前記アイセーフティ機構は、前記ＬＬＬＴデバイス内へと延在する二つのスプリング装填ガイドロッドと、前記前端部が押圧された際に前記ガイドロッドの一つによって押圧されるようにそれぞれ配置された、両スイッチが押圧されている間、前記ＬＬＬＴデバイスが前記レーザーダイオードを作動させるようにする二つの瞬間押しボタンスイッチと、を備えることを特徴とする請求項１１に記載のＬＬＬＴデバイス。
【請求項１７】
前記ＬＬＬＴデバイスはさらに、前記レーザーダイオードを収容するケースを備え、前記ＬＬＬＴデバイスの前記前端部は前記ケースの外部で延在するが、前記前端部が押圧された際には前記ケース内へと少なくとも部分的に後退することを特徴とする請求項１１に記載のＬＬＬＴデバイス。
【発明の詳細な説明】
【技術分野】
【０００１】
本発明は低レベルレーザー治療(ＬＬＬＴ)システムおよびデバイスに関する。
【０００２】
この出願は、Handheld Low-Level Laser Therapy Apparatusという名称の、2010年7月22日に提出された国際出願番号PCT/IL2010/000584号(これはこの引用によって本明細書中に組み込まれる)の一部継続であり、かつ、それに対して優先権を主張する。この出願は、Eye Safety and Comfort Mechanism For a Handheld Low Level Laser Therapy(ＬＬＬＴ)デバイスという名称の、2010年7月14日に提出された米国仮出願第61/295,039号(これはこの引用によってその全体が本明細書中に組み込まれる)に対して、35U.S.C.§119に基づく優先権の利益を主張する。
【発明の概要】
【課題を解決するための手段】
【０００３】
本発明の実施形態は、低レベルレーザー治療(ＬＬＬＴ)デバイスを用いて、人間を治療するための装置および方法に関する。本デバイスは、ハンドヘルド型であってもよく、そして、一方向に(たとえば約５〜７度の)小さい角度で、そして第１の方向と直交する方向に(たとえば約３０〜４０度の)大きな角度で分散する単色単一位相レーザービームを提供するレーザーダイオードを含んでもよい。当該デバイスは、単色の、本質的にコヒーレントでかつ平行な光ビームによって同時に大きな面積を照射する光ビームを発生させるために、レーザーダイオードの自然拡散を利用してもよい。
【０００４】
上記デバイスは、レーザービームを平行ビームへと変化させるレンズを含み、ここで、より小さな分散角度からの光線は狭い照射領域を実現し、そして、より大きな分散角度からの光線は引き伸ばされた照射領域を実現する。任意選択で、引き伸ばされた照射領域は狭い照射領域のサイズの少なくとも２倍である。ある実施形態では、照射領域は矩形領域を形成する。これに代えて、照射領域は楕円領域を形成する。任意選択で、ビームは分散の結果としてアイセーフティを実現するが、これは単位面積当たりの、より少ない強度を実現する。
【０００５】
ある実施形態では、単色レーザービームは不可視赤外線ビームである。任意選択で、レーザービームの波長は約８００ないし９００ｎｍである。ある実施形態では、可視光源(たとえばＬＥＤ)が、不可視光ビームに付随する補助可視光ビームを提供するために使用され、この結果、ユーザーはデバイスが作動していることを認識でき、自身の目に向かってデバイスを向けることがなくなる。ある実施形態では、可視光ビームは不可視レーザービームと同時発生する。これに代えて、可視光ビームは、レーザービームを取り囲む領域を照射し、ユーザーの安全性を高めるために不可視レーザービームの周りにフレームを形成する。
【０００６】
代替操作機構は、レーザー発生状態を維持するために、そして作動ならびに誤って目に向かってレーザービームを向ける、それに続くデバイスの不注意な動作を回避するために押さえ付けられる瞬間押しボタンスイッチである。
【０００７】
だが、治療の間中、瞬間押しボタンスイッチを保持するのは使い勝手が悪く、治療が目から離れた領域である場合(たとえば背中、膝など)には、それは十分なアイセーフティのためには必要とされないであろう。
【０００８】
この問題を解決するために、クリップデバイス(これは、ＬＬＬＴデバイスとは別個の部品である)がＬＬＬＴデバイスと共にユーザーに提供できる。クリップデバイスはＬＬＬＴに対して取り付けることができ、そして作動ポジションで瞬間押しボタンスイッチを連続的に保持する。この方法は、患者に対するアイセーフティ要求および使用の簡便さの両方に関して好都合な解決策を提供する。
【図面の簡単な説明】
【０００９】
【図１】アイセーフティ機構ならびに瞬間押しボタンスイッチを備えたハンドヘルド型ＬＬＬＴデバイスの概略図である。
【図２】図１のＬＬＬＴデバイスと共に使用するのに適したアイセーフティ機構の斜視図である。
【図３】瞬間押しボタンスイッチを押圧することができるクリップデバイスを示す図である。
【図４】それに対して取り付けられた図３のクリップデバイスを備えた図１のＬＬＬＴデバイスを示す図である。
【発明を実施するための形態】
【００１０】
各図中、同じ参照数字および記号は同じ構成要素を表す。
【００１１】
以下の説明では、本明細書の一部を形成する図面を参照するが、これには、本発明に関して実施可能な特定の実施形態が例証として示されている。これら実施形態は、当業者が本発明を実施するのに十分な程度に詳しく説明され、かつ、本発明の趣旨および範囲から逸脱することなく、さまざまな開示された実施形態に対する変更が可能であり、かつ、別な実施形態を利用可能であることは明らかである。以下の詳細な説明は、したがって、限定的な意味で解釈すべきではない。
【００１２】
ある実施形態では、システムは、レーザーダイオードおよび瞬間スイッチを備えたＬＬＬＴデバイスを含むが、ＬＬＬＴデバイスは、瞬間スイッチが押されたときにレーザーダイオードを作動させるよう構成されている。クリップデバイスがＬＬＬＴデバイスに対して取り付けられ、かつ、取り付けられている間、瞬間スイッチを押圧し、ＬＬＬＴデバイスがレーザーダイオードを作動させるように構成されている。
【００１３】
一例として、ＬＬＬＴデバイスはさらにレーザーダイオードを収容するケースを含んでいてもよく、このケースはさらに第１の側面および対向する第２の側面を有する。瞬間スイッチは第１の側面に配置されてもよく、かつ、クリップデバイスは、取り付けられている間、瞬間スイッチおよび対向する第２の側面の両方に接触するよう構成されてもよい。トグル、ロッカー、スライドなどの瞬間スイッチとは対照的に、瞬間押しボタンスイッチなどの、さまざまなタイプの公知の瞬間スイッチが使用可能である。さらに、瞬間スイッチのスイッチング機構は、瞬間スイッチが押圧された際に閉じるように構成されてもよい。押されるまで常時閉状態であるスイッチを代わりに使用することも考えられる。
【００１４】
クリップデバイスは、対向する側面、およびこの対向する側面を連結する底面を備えた実質的にＵ字形状を有していてもよい。瞬間押しボタンスイッチはボタンを有してもよく、クリップデバイスの対向する側面の一方は、ボタンのリセスの形状に対応する形状を備えた突起を有する。この突起は、リセスに進入し、そして、クリップがＬＬＬＴデバイスに対して取り付けられている間、瞬間スイッチを押圧するよう構成されてもよい。たとえば、突起は、図３に示すような、一つ以上の斜め縁部２８０を有するメサ(mesa)２７０であってもよく、しかも、ボタンは、図４における瞬間スイッチ４３０のボタンに関して示すような、対応するリセスを有してもよい。さらに、ＬＬＬＴデバイスに取り付けられている間、クリップデバイスはユーザーに取り外しのための操作を要求してもよい。すなわち、いったん取り付けられると、クリップデバイスは、瞬間スイッチを押圧するように作動するがユーザーによって適所で保持されるクリップデバイスとは対照的に、ユーザーがそれを取り外すための行動をとるまで、取り付けられた状態のままであってもよい。
【００１５】
さらに、例として、ＬＬＬＴデバイスは、クリップデバイスが取り付けられている間のレーザーダイオードの作動がクリップデバイスが取り外されるまでの連続的なレーザーダイオードの作動を含むように構成されてもよい。代替例として、ＬＬＬＴデバイスは非作動化タイマーを含むと共に、クリップデバイスが取り付けられている間のレーザーダイオードの作動が、タイマーがレーザーダイオードを非作動化するまでの連続的なレーザーダイオードの作動をもたらすように構成されてもよい。
【００１６】
したがって、別な実施形態では、システムは、レーザーダイオード、それ自体にリセスを備えたボタンを有する瞬間押しボタンスイッチ、瞬間押しボタンスイッチが押圧されたときにレーザーダイオードを作動させるために瞬間押しボタンスイッチを連携的に統合する電子回路、およびレーザーダイオードを収容するケースを備えたＬＬＬＴデバイスを含む。ケースは第１の側面および対向する第２の側面を有し、瞬間押しボタンスイッチは第１の側面に配置される。システムは、ＬＬＬＴデバイスに取り付けられると共に、取り付けられている間、瞬間押しボタンスイッチとケースの第２の側面の両方に接触するよう構成されたクリップデバイスを含む。クリップデバイスは、第１の側面と、対向する第２の側面と、この第１および第２の側面を連結する底面とを有する実質的にＵ字形状を有する。クリップデバイスの第１の側面は、底面のリセスの形状に対応する形状を備えた突起を有する。突起はリセス内に進入し、そして、クリップデバイスが取り付けられている間、瞬間スイッチを押圧し、ＬＬＬＴデバイスがレーザーダイオードを作動させるようにする。クリップデバイスの第２の側面は、取り付けられている間、ケースの第２の側面に接触する。さらに、取り付けられている間、クリップデバイスは、取り外しのための操作をユーザーに要求する。
【００１７】
したがって、本明細書の説明から明らかであるように、さらなる実施形態は、レーザーダイオードおよび瞬間スイッチを備えたＬＬＬＴデバイスであって瞬間スイッチが押圧されたときレーザーダイオードを作動させるよう構成されたＬＬＬＴデバイスを提供すること、およびＬＬＬＴデバイスに対してクリップデバイスを取り付けることを含む方法を提供する。本方法は、それが取り付けられている間、クリップデバイスのみを用いて瞬間スイッチを押圧し、ＬＬＬＴデバイスがレーザーダイオードを作動させるようにすることを含む。
【００１８】
図１は、本発明の一実施形態に基づく、アイセーフティ機構およびレーザー治療を実施するための瞬間押しボタンスイッチを備えたＬＬＬＴデバイス１００の概略図である。図示する実施形態においては、光源およびデバイス１００に給電するための電子回路が、ユーザーの手の中にフィットするよう設計された人間工学的ケース１１０内に収容されている。そうであっても、さまざまな実施形態の本明細書中で説明した特徴はまた、ハンドヘルドではないＬＬＬＴデバイスに適用可能である。任意選択で、デバイス１００はオン／オフスイッチ１２５を含むが、これがデバイス１００をオン・オフする。デバイス１００がオン状態にあるとき、それは、ケース１１０の側面上に配置された瞬間押しボタンスイッチ１３０を押圧することによって作動させられる。これに代えて、あるいはこれに加えて、デバイス１００は、当該デバイス１００を使用するとき、人間あるいは物体が照射されないように、アイセーフティ作動スイッチ１０５を押圧することによって作動させられてもよい。人間が照射されるのを防ぐために押圧する場合の作動はデバイス１００の安全性を高める。なぜなら、それによって、ユーザーが誤ってユーザーの目に光を向けることができなくなるからである。ある場合、ユーザーの皮膚に対する押圧は有利である。というのは、それは血流を低減し、そして光吸収の効率を高めるからである。これに代えて、ある場合には、ユーザーは創傷を有するかもしれず、ユーザーの皮膚に対して押し付けないことが好ましい。
【００１９】
ある実施形態では、デバイス１００は内部電源(たとえばバッテリー１３５)によって給電される。これに代えて、あるいはこれに加えて、デバイス１００は、家庭電源ソケットなどの外部電源に差し込まれる電力ケーブル(図示せず)を介して、外部電源によって給電されてもよい。任意選択で、デバイスが外部電源に差し込まれたとき、バッテリー１３５が充電されてもよい。
【００２０】
ある実施形態では、デバイス１００は、ディスプレイ１１５、たとえばＬＣＤディスプレイを含むが、これは、バッテリーの状態および／またはタイマー／カウンターといった、さまざまな情報を表示する。ある実施形態では、ディスプレイ１１５のタイマーは、セレクター１２０を用いて、事前選定値へとユーザーによってセットされる。この値は、時間の総計を秒で示すが、その間、デバイス１００は、ユーザーによって作動させられたとき作動状態のままである。デバイス１００はカウントダウンし、そしてそれが事前選定された時間の総計に達すると、デバイス１００を自動的に非作動化する。たとえば、ユーザーが、特定の時間の総計の間、ある領域を照射したい場合、ユーザーは、所望の時間の総計でタイマーをセットし、デバイス１００を作動させる。作動モードに依存して、以下でさらに詳しく説明するように、デバイス１００は、時間に達するまで、領域を照射する。すなわち、上記セーフティ機構は、時間に達する前に、デバイス１００を非作動化するように機能する。
【００２１】
図３はクリップデバイス２００を示すが、これは、瞬間押しボタンスイッチ１３０を保持できる。クリップ２００は、射出成形によって製造されるポリカーボネートなどのフレキシブルなプラスチック素材から形成されてもよい。図１のＬＬＬＴデバイス１００に取り付けられたとき、クリップ２００は、その柔軟性によって、図１の瞬間押しボタンスイッチ１３０を連続的に押圧する。
【００２２】
図４は、それに取り付けられた図３のクリップデバイス２００を備えた、図１のＬＬＬＴデバイス１００を示している。ＬＬＬＴデバイス１００が、図１のスイッチ１２５を用いてオンにされ、そして図１のセレクター１２０によって所要の処置時間が設定されたとき、フレキシブルクリップ２００は、ＬＬＬＴデバイス１００に対して取り付けられたとき、瞬間押しボタンスイッチ１３０を連続的に押圧し、使用の便宜のために、事前設定時間にわたって連続的にレーザーを発生させる。クリップ２００が取り外されたとき、アイセーフティを実現するために、押しボタンスイッチ１３０が終始押さえ付けられない限り、レーザーは発生しない。
【００２３】
別な実施形態によれば、ＬＬＬＴデバイスは、レーザーダイオードと、このレーザーダイオードが作動させられたときに、そこから光が放射される前端部と、この前端部におけるアイセーフティ機構とを含む。ＬＬＬＴデバイスは、前端部が押圧されたとき、レーザーダイオードを作動させるよう構成される。
【００２４】
例として、アイセーフティ機構は、ＬＬＬＴデバイスの前端部の最前部を形成してもよく、ＬＬＬＴデバイスは、この最前部が患者の身体の処置されるべき部分に対して押し付けられたときに、レーザーダイオードを作動させるよう構成される。アイセーフティ機構は、ＬＬＬＴデバイス内へと延在する少なくとも一つのスプリング装填ガイドロッドと、ＬＬＬＴデバイスがレーザーダイオードを作動させるようにする、前端部が押圧された際にガイドロッドによって押圧されるよう配置された少なくとも一つの瞬間押しボタンスイッチとを有してもよい。瞬間押しボタンスイッチは、瞬間押しボタンマイクロスイッチ、あるいは、上述したようなその他のタイプの公知のスイッチであってもよい。
【００２５】
アイセーフティ機構は、ＬＬＬＴデバイス内へと延在する二つのスプリング装填ガイドロッドと、両方のスイッチが押圧されている間、ＬＬＬＴデバイスがレーザーダイオードを作動させるようにする、前端部が押圧された際にガイドロッドの一方によって押圧されるようにそれぞれ配置された二つの瞬間押しボタンスイッチとを有してもよい。ＬＬＬＴデバイスはさらに、上述したように、レーザーダイオードを収容するケースを含んでもよいので、ＬＬＬＴデバイスの前端部はケースの外側に突出してもよいが、前端部が押圧されたときケース内へと少なくとも部分的に後退できる。
【００２６】
したがって、別な実施形態では、ＬＬＬＴデバイスは、レーザーダイオードと、このレーザーダイオードが作動させられたときに、そこから光が放射される前端部と、コンポーネントの前端部の最前部を提供するアイセーフティ機構とを含む。アイセーフティ機構は、ＬＬＬＴデバイス内に延在する二つのスプリング装填ガイドロッドと、患者の身体の処置されるべき部分に対して最前部が押し付けられたとき、ガイドロッドの一方によって押圧されるようそれぞれ配置された二つの瞬間押しボタンマイクロスイッチとを含む。電子回路は、両方のスイッチが押圧されている間、レーザーダイオードを作動させるために、瞬間押しボタンマイクロスイッチを連係的に統合する。ケースはレーザーダイオードを収容し、かつ、前端部はケースの外側に突出するが、前端部が押圧されたとき、ケース内へと少なくとも部分的に後退する。
【００２７】
したがって、本明細書中の説明から明らかであるように、さらなる実施形態は、レーザーダイオードと、このレーザーダイオードが作動させられたときに、そこから光が放射される前端部と、前端部におけるアイセーフティ機構とを備えたＬＬＬＴデバイスを供給することを含む方法を提供し、ＬＬＬＴデバイスは、前端部が押圧された際にレーザーダイオードを作動させるよう構成される。当該方法は、患者の身体の処置されるべき部分に対して前端部を押し付け、ＬＬＬＴデバイスがレーザーダイオードを作動させるようにすることを含む。
【００２８】
図２は、本発明のある実施形態に基づく、アイセーフティ機構３００を備えたデバイス１００を製造するための内部構造体の概略図である。上述したように、デバイス１００がオンにされたとき、それは、患者の身体に対してアイセーフティ作動スイッチ１０５を押し付けることによって作動させることができる。任意選択で、アイセーフティ作動スイッチ１０５は二つのスライダー３１０に連結され、かつ、二つのスプリング装填ガイドロッド３３０が、各側に一つずつ、スライダー３１０内に挿入される。アイセーフティ作動スイッチ１０５が図１のケース１１０内に押し込まれたとき、ガイドロッド３３０は内側に移動させられ、かつ、二つのマイクロスイッチ３２０を押圧するが、これがレーザーダイオード２１０を作動させる。アイセーフティ機構３００のコンポーネントはベース２３０に搭載されるが、これは、今度は、図１に示すケース１１０内に搭載されてもよい。この結果、アイセーフティ作動スイッチ１０５は、ＬＬＬＴデバイス１００の前端部の最前部を提供し、かつ、この最前部が患者の身体に対して押し付けられたとき、ケース１１０内に少なくとも部分的に後退する。アイセーフティ作動スイッチ１０５の使用は、ユーザーがレーザーダイオード２１０を作動させ、それを自身の目あるいは他人の目に向かって照射するのを阻止する。
【００２９】
レーザーダイオード２１０は、８００〜９００ｎｍの単色波長および少なくとも１００ｍＷの出力を備えた赤外線を放射するように選択されてもよく、その結果、それはユーザーを治癒するのに効果的となる。任意選択で、波長は、ユーザーの生物学的細胞にパワーを供給するのに最適な特性を有するように選択され、したがって、特定の疾患を扱うのにより有効であると判明した場合には、別な波長が使用されてもよい(たとえば可視光あるいは紫外光)。さらに、レーザーダイオード２１０は、より強いかあるいはより弱い出力を有するように選択されてもよい。任意選択で、分散するレーザービームを平行にしかつユーザーの皮膚への引き伸ばされた単色コヒーレントレーザービームの照射を形成することによって、レーザーダイオード２１０によって生成されるレーザービームの自然拡散を利用するために、レンズ２２０がレーザーダイオード２１０に向き合って配置される。
【００３０】
レンズ２２０は、二つの方向に異なるレンズ半径を有するトロイダルレンズであってもよく、この結果、レーザーダイオード２１０から形成される発散ビームはレンズと直交するように広がり、そして単色コヒーレントレーザービームから引き伸ばされた照明を形成する。レンズ２１０は矩形あるいは楕円形状を有しても、そして矩形あるいは楕円形照明を生み出してもよい。これに代えて、あるいはこれに加えて、レンズ２１０は、それがユーザーを照射するための引き伸ばされた単色コヒーレントレーザービームを生成する限り、シングルレンズであっても、ダブルレンズであっても、あるいはレンズのその他の組み合わせであってもよい。任意選択で、レンズ以外の要素が、コヒーレントレーザービームの位相および方向の均一性に影響を与えてもよい。
【００３１】
ある好ましい実施形態に関して本発明を説明してきたが、本明細書中で言及された特徴および利点の全てを提供しない実施形態を含む、当業者にとって公知の、その他の実施形態もまた本発明の範囲内のものである。
【符号の説明】
【００３２】
１００  ＬＬＬＴデバイス
１０５  アイセーフティ作動スイッチ
１１０  ケース
１１５  ディスプレイ
１２０  セレクター
１２５  オン／オフスイッチ
１３０  瞬間押しボタンスイッチ
１３５  バッテリー
２００  クリップデバイス
２１０  レーザーダイオード
２２０  レンズ
２３０  ベース
２７０  メサ
２８０  斜め縁部
３００  アイセーフティ機構
３１０  スライダー
３２０  マイクロスイッチ
３３０  スプリング装填ガイドロッド
４３０  瞬間スイッチ
【図１】
2013528404.tif 000003
【図２】
2013528404.tif 000004
【図３】
2013528404.tif 000005
【図４】
2013528404.tif 000006
【国際調査報告】
2013528404.tif 000007
2013528404.tif 000008